(57)【特許請求の範囲】
【請求項１】
底板の４辺にそれぞれ側板を連設して成る包装箱において、
隣接する側板間にコーナ板を両側板に折曲げ可能に連結した状態で連設し、該コーナ板に傾斜角が４５度の斜めの折曲げ線を前記コーナ板を対角線状に横切るように形成するとともに、前記斜めの折曲げ線の先端側に正方形の切欠きをその対角線が前記斜めの折曲げ線と一致するように形成し、しかも該正方形の切欠き内に突出しかつ側端部がこの包装箱の底面と平行になる係止部を形成し、
前記コーナ板によって連結される一方の側板の先端に折返し板を連設するとともに、該折返し板の先端部に係止板を形成し、
前記コーナ板を前記斜めの折曲げ線によって前記一方の側板の内側または外側に重なるように折込み、折込まれた前記コーナ板の上に前記折返し板を重合わされるように折曲げ、前記係止板を折込まれた前記コーナ板と前記一方の側板との間に挿入し、前記係止板を両側の前記コーナ板の係止部の底面と平行な側端部に係止して組立てるとともに、
前記一方の側板の上端側であって前記係止板の折込み位置でしかも両側の前記コーナ板の係止部間に開口が形成され、前記開口を通して前記係止板を前記係止部から離脱させるようにしたことを特徴とする包装箱。
【請求項２】
前記コーナ板が前記一方の側板の内側に折込まれるとともに、前記一方の側板の前記開口の下側であって前記係止板の根元部分と対応する位置に取手穴が形成されていることを特徴とする請求項１に記載の包装箱。
【請求項３】
前記コーナ板が前記一方の側板の外側に折込まれるとともに、前記折返し板の先端部であって前記係止板の根元部分が取手を構成することを特徴とする請求項１に記載の包装箱。
【発明の詳細な説明】
【０００１】
【発明の属する技術分野】
本発明は包装箱に係り、とくに底板の各辺にそれぞれ側板を連設して成る包装箱に関する。
【０００２】
【従来の技術】
各種の物品を物流に供するための包装手段として、段ボールケースから成る包装箱が広く用いられている。例えば産地で集荷された野菜を消費地に供給するために、該野菜を包装箱に収納して輸送するようにしている。このときに収納された野菜の鮮度を保持するために、場合によっては氷を一緒に入れるようにしている。
【０００３】
【発明が解決しようとする課題】
通常の包装箱に野菜とともに氷を入れて包装すると、温度の上昇に伴って氷が溶け、やがて包装箱を構成する段ボールを湿潤させ、段ボールが破壊して野菜がこぼれたり、水が滴下し、周辺の物品を濡らす等の問題がある。
【０００４】
このような問題点に鑑みて、例えばプラスチックケースから成る包装箱を用いることが考察される。プラスチックケースの場合には、湿潤してもケースが破壊することがなく、中の物品が脱落することがない。しかるにプラスチックケースは段ボールケースに比べて高価であって、リサイクルし難い問題がある。使用後に焼却廃棄すると、有害ガスを発生して大気汚染の原因になったり、高温の熱によって焼却炉を損傷したりする可能性がある。
【０００５】
本発明はこのような問題点に鑑みてなされたものであって、段ボールから構成されるとともに、防水性を有し、水が滴下することがないようにした包装箱を提供することを目的とする。
【０００６】
【課題を解決するための手段】
本願の一発明は、底板の４辺にそれぞれ側板を連設して成る包装箱において、
隣接する側板間にコーナ板を両側板に折曲げ可能に連結した状態で連設し、該コーナ板に傾斜角が４５度の斜めの折曲げ線を前記コーナ板を対角線状に横切るように形成するとともに、前記斜めの折曲げ線の先端側に正方形の切欠きをその対角線が前記斜めの折曲げ線と一致するように形成し、しかも該正方形の切欠き内に突出しかつ側端部がこの包装箱の底面と平行になる係止部を形成し、
前記コーナ板によって連結される一方の側板の先端に折返し板を連設するとともに、該折返し板の先端部に係止板を形成し、
前記コーナ板を前記斜めの折曲げ線によって前記一方の側板の内側または外側に重なるように折込み、折込まれた前記コーナ板の上に前記折返し板を重合わされるように折曲げ、前記係止板を折込まれた前記コーナ板と前記一方の側板との間に挿入し、前記係止板を両側の前記コーナ板の係止部の底面と平行な側端部に係止して組立てるとともに、
前記一方の側板の上端側であって前記係止板の折込み位置でしかも両側の前記コーナ板の係止部間に開口が形成され、前記開口を通して前記係止板を前記係止部から離脱させるようにしたことを特徴とする包装箱に関するものである。
【０００７】
ここで前記コーナ板が前記一方の側板の内側に折込まれるとともに、前記一方の側板の前記開口の下側であって前記係止板の根元部分と対応する位置に取手穴が形成されていてよい。また前記コーナ板が前記一方の側板の外側に折込まれるとともに、前記折返し板の先端部であって前記係止板の根元部分が取手を構成してよい。
【００１０】
【発明の実施の形態】
以下本発明を図示の実施の形態によって説明する。まず第１の実施の形態を図１〜図８によって説明する。この実施の形態は図１に示すような形状に打抜かれた段ボールを用いて組立てられた直方体状の包装箱に関するものである。
【００１１】
図１に示すようにこの段ボールは矩形の底板１０を備えている。そして底板１０にはその長辺側に折曲げ線１１を介して長辺側側板１２が連設されている。また底板１０の短辺側には折曲げ線１３を介して短辺側側板１４が連設されている。
【００１２】
上記長辺側側板１２の先端側には折曲げ線１５を介して蓋板１６が連設されている。蓋板１６はその幅が底板１０の幅の１／２の値になっており、これによって組立てた際に、両側の蓋板１６の先端部が突合わされて上部開口を閉塞するようになっている。
【００１３】
短辺側側板１４の先端部には一対の折曲げ線１９を介して横長の折返し板２０が連設されている。そしてこのような折返し板２０の先端側には一対の折曲げ線２１を介して係止板２２が連設されている。係止板２２はその横方向の寸法が折返し板２０のほぼ１／３の値になっており、しかもその中間位置に折曲げ線２３が形成されている。
【００１４】
上記折返し板２０の根元側であって一対の折曲げ線１９が形成された位置から短辺側側板１４にかけて開口２４が形成されている。またこの開口２４の下側において短辺側側板１４には取手穴２５が形成されている。
【００１５】
長辺側側板１２と短辺側側板１４との間には、全体の形状がほぼ正方形のコーナ板２８が配されている。コーナ板２８は折曲げ線２９、３０によって長辺側側板１２および短辺側側板１４にそれぞれ折曲げ可能に連設されている。
【００１６】
コーナ板２８の先端側はほぼ正方形に切欠かれて切欠き３１になっている。なおここで切欠き３１を形成する正方形の形状はその対角線がコーナ板２８を斜めに横切る斜めの折曲げ線３３とほぼ一致するようになっている。そして上記切欠き３１内に突出するように、折曲げ線３３に対して長辺側側板１２側には係止部を構成する突部３２が突設されている。
【００１７】
このような形状に打抜かれた段ボールは、図２に示すように、表ライナ３７と裏ライナ３８との間に中芯３９を屈曲させて介在させたものである。そして表ライナ３７の表面側にはポリエチレンフィルム４０が接合されている。このポリエチレンフィルム４０が包装箱の内側に位置するように図１に示す段ボールが打抜かれ、これによって防水性を有する包装箱が組立てられるようになっている。
【００１８】
次に図１に示す段ボールを組立てて包装箱を組立てる動作について説明する。図３に示すように、折曲げ線１１、１３によって長辺側側板１２と短辺側側板１４とをそれぞれ底板１０に対して直角になるように折曲げる。このときに長辺側側板１２と短辺側側板１４との間に連設されているコーナ板２８はその中央部を斜めに横切る折曲げ線３３によって内側へ折込まれる。すなわちコーナ板２８は折曲げ線３３が内側へ突出するように折込まれた状態で長辺側側板１２と短辺側側板１４とが底板１０に対してほぼ直角に折込まれるようになる。
【００１９】
底板１０に対して長辺側側板１２と短辺側側板１４とがそれぞ直角に折曲げられたときに、これらの側板１２、１４間に連設されているコーナ板２８は図４に示すように、短辺側側板１４の内側に重なるように接合されることになる。このような状態において、一対の折曲げ線１９によって短辺側側板１４の上端の折返し板２０を図５に示すように１８０度内側へ折返し、これによってコーナ板２８の上側に重合わせるようにする。
【００２０】
コーナ板２８の上側に折返し板２０を重合わせる際に、折返し板２０の先端側に設けられている係止板２２を図６〜図８に示すようにコーナ板２８に形成されている係止部３２の内側に挿入して係止する。
【００２１】
上述の如く係止板２２にはその中間位置に折曲げ線２３が形成されているために（図６および図８Ａ参照）、この折曲げ線２３によって係止板２２をその中間位置で折曲げるとともに、係止板２２の先端側の部分を突部３２の内側に図７および図８Ｂに示すように挿入する。そしてこの後さらに折返し板２０を内側へ折込む動作に連動して、係止板２２の折曲げ線２３よりも根元側の部分を図８Ｃに示すように突部３２の内側へ完全に挿入する。
【００２２】
このような係止板２２による係止動作によって、短辺側側板１４とコーナ板２８と折返し板２０とが重合わせた状態でロックされ、これによって包装箱は直方体状に組立てられた状態を維持する。この状態が図５に示される。そしてこのような状態において、内部に所望の物品を収納するとともに、その後に蓋体１６を閉じることによって物品の梱包が行なわれる。
【００２３】
このような包装箱は図２に示すように内側にポリエチレンフィルム４０が接合された段ボールを用いており、このために中に湿潤した物品を収納しても、段ボールが水を含んで破壊することがない。また途中で水がしたたることもない。すなわち防水性の段ボールになる。従って野菜と一緒に氷を入れておいても、中の氷が溶けた場合に水が滴ることがない。また鮮魚を一緒に投入された氷によって冷却しながら輸送することも可能である。
【００２４】
このような包装箱は図１に示す形態、すなわち段ボールを展開した状態で積重ねて供給する。そして使用する際に図３〜図８に示す動作によって組立てを行なう。すなわち使用する際に組立てを行なう。このような組立ては、単に図１に示す形状に打抜かれた段ボールを折曲げる工程のみから構成されており、接着剤や糊剤を用いないで直方体状に組立てるようにしている。
【００２５】
このような包装箱を利用して物品の輸送を行なった後に、この包装箱を再使用あるいは処分する場合には上記の動作とは逆の動作を行なえばよい。すなわち図８Ｃに示す開口２４のところに指を挿入し、これによって係止片２２の上端部を下方へ移動させて図８Ｂに示すようにし、このような状態で折返し板２０を図８Ａおよび図６に示すように上方へ回動させる。これによって図４に示す状態になる。従ってこの後に長辺側側板１２と短辺側側板１４とをそれぞれ底板１０に対して回動させて展開状態に開く。これによって図１に示すような平板状の状態、すなわち展開された状態になる。このように展開して平板になった段ボールを何段にも積重ねて輸送することができ、このような動作を繰返すことによって包装箱の繰返し利用が可能になるとともに、その間の包装箱の移動あるいは保管の際にスペースを要することなく、合理的な運搬や保管が可能になる。
【００２６】
次に第２の実施の形態を図９〜図１５によって説明する。この実施の形態において用いられる段ボールは図２に示す段ボールと同様に内側にポリエチレンフィルム４０が接合された防水型の段ボールである。そしてこのような防水型の段ボールを図９に示すように打抜く。この形状は図１に示す形状とほぼ同一であって、短辺側側板１４に取手穴２５を設けないようにした構造以外は図１に示す形態と同様である。よってその説明は上記第１の実施の形態のそれを援用する。
【００２７】
このような段ボール１０を図１０に示すように、その長辺側側板１２と短辺側側板１４とを折曲げ線１１、１３によって底板１０に対して直角に折曲げる。このときに長辺側側板１２と短辺側側板１４との間に連結されているコーナ板２８は斜めの折曲げ線３３によって図１０に示すように外側に折曲げるようにする。
【００２８】
図１１に示すように底板１０に対して長辺側側板１２と短辺側側板１４とをそれぞれ直角に折曲げたならば、この後に斜めの折曲げ線３３によって外側に折曲げられたコーナ板２８を折曲げ線２９、３０によって短辺側側板１４の外側に重なるように折曲げる。
【００２９】
この後に一対の折曲げ線１９によって短辺側側板１４の上端部の折返し板２０を外側に折返すとともに、この折返し板２０を短辺側側板１４の上に重合わされたコーナ板２８のさらに外側に図１２に示すように重合わせる。このときに折返し板２０の先端部に連設されている係止板２２を図１３および図１４に示すようにコーナ板２８の係止部を構成する突部３２によって係止する。
【００３０】
係止板２２の係止の動作は、係止板２２の中間位置に設けられている折曲げ線２３によって係止板２２の先端部を内側に折曲げ、突部３２の内側に図１３および図１４Ａに示すように挿入する。そしてこの後にさらに折返し板２０を回動させ、この折返し板２０の先端側の係止板２２を完全にコーナ板２８の突部３２内に図１４Ｂおよび図１５に示すように挿入する。これによって短辺側側板１４の外側に重合わされたコーナ板２８は折返し板２０によって押えられた状態でロックされることになる。
【００３１】
従ってこのような状態において、図１５に示すように蓋板１６を開いて内部に物品を収納して梱包を行なう。梱包を行なった後に蓋板１６を閉じて物流に供することになる。
【００３２】
用済みになった包装箱を解体する場合には、図１４Ｂに示す開口２４を通して指で係止板２２の先端部を下方へ図１４Ａに示すように押下げる。この後に折返し板２０を上方へ回動させてコーナ板２８のロックを解除する。この後にコーナ板２８を図１１に示すように短辺側側板１４に対して直角に外方へ折曲げるとともに、このような状態において長辺側側板１２と短辺側側板１４とを図１０に示すように開く。これによって図９に示すような偏平な状態に展開される。
【００３３】
このような包装箱は、接着剤やホットメルトを用いることなく折曲げ操作のみによって図１５に示すように直方体状に組立てられてロックされる。また係止板２２の係止を解除することによって、図９に示すような偏平な状態に展開できる。したがって使用時に直方体状に組立てるとともに、不使用時においては図９に示すように偏平な状態で積重ねたり保管したりすればよく、不使用時におけるスペースファクタが改善される。
【００３４】
またこの段ボール箱は短辺側側板１４に取手穴が形成されていないが、短辺側側板１４の外側にコーナ板２８が折込まれるとともに、その外側に折返し板２０が折返されるようになる。従ってこの折返し板２０の先端部であってとくに係止板２２の折返し部を取手として持つことができる。そしてこのように短辺側側板１４に取手穴が形成されていないことから、より防水効果が高まる。
【００３５】
次に第３の実施の形態を図１６〜図２０によって説明する。この実施の形態は直方体状ではなく、全体の形状が６角柱状に組立てられるようにした防水機能を有する包装箱である。そしてこのような包装箱は図１６に示すように打抜かれた段ボールから組立てられる。
【００３６】
図１６に示す段ボールはその中心部に正６角形の底板１０を備えており、この底板１０の１つおきの３つの辺にはそれぞれ折曲げ線１１を介して側板１２が連設される。また残りの１つおきの３つの辺には折曲げ線１３を介して側板１４が連設される。そして側板１２の先端部には折曲げ線１５を介して補強板１６か連設されている。
【００３７】
これに対して側板１４の先端側には一対の折曲げ線１９を介して折返し板２０が連設されるとともに、折返し板２０の先端側には折曲げ線２１を介して係止板２２が連設されている。係止板２２にはその両側にそれぞれ係止部２５が連設されている。なお係止部４５は折曲げ線４６によって係止板２２に対して折曲げ可能になっている。
【００３８】
互いに隣接する側板１２、１４間にはコーナ板２８が連設されている。コーナ板２８は折曲げ線２９、３０によって両側の側板１２、１４にそれぞれ折曲げ可能に連設されている。そしてコーナ板２８にはその中央部を横切るように斜めの折曲げ線３３が形成されている。
【００３９】
次にこのような段ボールを折曲げて包装箱を組立てる動作を説明する。図１７に示すように底板１０に対してその６辺の側板１２、１４をそれぞれ直角に折曲げ線１１、１３のところで折曲げる。このときにコーナ板２８を斜めの折曲げ線３３によって外側へ折曲げるとともに、斜めの折曲げ線３３によって３角形に折畳まれたコーナ板２８を図１８に示すように１つおきの側板１４の外側に重合わせる。
【００４０】
この後に側板１４の先端側の折曲げ線１９を外側へ折曲げるようにし、これによって図１９に示すようにコーナ板２８の外側に折返し板２０を重合わせる。そしてこの後さらに係止板２２の両側の係止部４５をコーナ板２８の斜めの折曲げ線３３の内側へ挿入する。これによって図２０に示すように折返し板２０および係止板２２をコーナ板２８によってロックする。このようなロック動作によって、側板１４の外側にコーナ板２８が折込まれ、さらに外側に折返し板２０が重合わされた状態でロックされるようになり、これによって６角柱状の形態が維持される。
【００４１】
このような実施の形態によれば、図１６に示すように打抜かれた包装箱を使用する際に組立てることができ、そのときに接着剤や糊付けを必要としない。また使用済みになった場合には、上記の組立て動作とは逆の動作を行ない、係止板２２の両側の係止部４５をコーナ板２８の内側から外すことによって、分解が行なわれるようになり、上記の組立て動作とは逆の動作を行なうことによって、図１７および図１６に示すように偏平な状態に展開される。
【００４２】
なお側板１２の先端側の補強板１６については側板１２の外側に折返して重合わせ、予め糊付けしておいても、上記のような組立て動作あるいは分解動作が阻害されることはない。従って補強板１６は側板１２の外表面上に予め糊付け等の方法によって固定しておくことが望ましい。
【００４３】
このような包装箱においても、上述の如く内表面にポリエチレンフィルムが接合された段ボールを用いることによって、完全防水が達成され、中に湿潤した物品を収納しても、液漏れを起すことがない。あるいはまた中に液体を収納することも可能である。
【００４４】
以上本発明を図示の実施の形態によって説明したが、本発明は上記実施の形態によって限定されることなく、本願に包含される発明の技術的思想の範囲内で各種の変更が可能である。例えば上記実施の形態は、内表面にポリエチレンフィルム４０が接合された段ボールから組立てられるようになっているが、このような構成に代えて、パラフィンを少なくとも一方の表面に含浸させた段ボールから組立てるようにしてもよい。
【００４５】
【発明の効果】
本願の一発明は、底板の４辺にそれぞれ側板を連設して成る包装箱において、隣接する側板間にコーナ板を両側板に折曲げ可能に連結した状態で連設し、該コーナ板に傾斜角が４５度の斜めの折曲げ線をコーナ板を対角線状に横切るように形成するとともに、斜めの折曲げ線の先端側に正方形の切欠きをその対角線が斜めの折曲げ線と一致するように形成し、しかも該正方形の切欠き内に突出しかつ側端部がこの包装箱の底面と平行になる係止部を形成し、コーナ板によって連結される一方の側板の先端に折返し板を連設するとともに、該折返し板の先端部に係止板を形成し、コーナ板を斜めの折曲げ線によって一方の側板の内側または外側に重なるように折込み、折込まれたコーナ板の上に折返し板を重合わされるように折曲げ、係止板を折込まれたコーナ板と一方の側板との間に挿入し、係止板を両側のコーナ板の係止部の底面と平行な側端部に係止して組立てるとともに、一方の側板の上端側であって係止板の折込み位置でしかも両側のコーナ板の係止部間に開口が形成され、開口を通して係止板を係止部から離脱させるようにしたものである。
【００４６】
従ってこのような包装箱によれば、コーナ板を斜めの折曲げ線によって一方の側板の内側または外側に重なるように折込み、係止板をコーナ板の係止部に係止することによって包装箱が組立てられるようになり、直方体状の形態が維持される。従って使用する際にこのような形態に組立てることが可能になる。また上記の係止板による係止を解除するとともに、コーナ板を外側に開くことによって偏平に展開することが可能になり、折畳んだ状態で保管あるいは輸送を行なうことが可能になる。ここで包装箱を構成する板状体を防水性の材料から構成すると、コーナ板の折込み構造によって防水性の包装箱となる。
【図面の簡単な説明】
【図１】第１の実施の形態の包装箱の展開平面図である。
【図２】同包装箱を構成する段ボールの拡大断面図である。
【図３】同包装箱の組立ての動作を示す斜視図である。
【図４】同包装箱の組立ての動作を示す斜視図である。
【図５】組立てられた包装箱の外観斜視図である。
【図６】係止板による係止の動作を示す要部拡大斜視図である。
【図７】係止板による係止の動作を示す要部拡大斜視図である。
【図８】係止板による係止の動作を示す要部拡大断面図である。
【図９】第２の実施の形態の包装箱の展開平面図である。
【図１０】包装箱を組立てる動作を示す外観斜視図である。
【図１１】包装箱を組立てる動作を示す外観斜視図である。
【図１２】包装箱を組立てる動作を示す外観斜視図である。
【図１３】係止板による係止の動作を示す要部拡大斜視図である。
【図１４】係止板による係止の動作を示す拡大縦断面図である。
【図１５】組立てられた包装箱の外観斜視図である。
【図１６】６角柱状をなす包装箱の展開平面図である。
【図１７】同包装箱の組立ての動作を示す外観斜視図である。
【図１８】同包装箱の組立ての動作を示す外観斜視図である。
【図１９】組立てられた包装箱の外観斜視図である。
【図２０】係止部による係止の構造を示す拡大断面図である。
【符号の説明】
１０  底板
１１  折曲げ線
１２  長辺側側板
１３  折曲げ線
１４  短辺側側板
１５  折曲げ線
１６  蓋板／補強板
１９  折曲げ線
２０  折返し板
２１  折曲げ線
２２  係止板
２３  折曲げ線
２４  開口
２５  取手穴
２８  コーナ板
２９、３０  折曲げ線
３１  切欠き
３２  突部（係止部）
３３  斜めの折曲げ線
３７  表ライナ
３８  裏ライナ
３９  中芯
４０  ポリエチレンフィルム
４５  係止部
４６  折曲げ線
【図１】
0004708533.tif 000002
【図２】
0004708533.tif 000003
【図３】
0004708533.tif 000004
【図４】
0004708533.tif 000005
【図５】
0004708533.tif 000006
【図６】
0004708533.tif 000007
【図７】
0004708533.tif 000008
【図８】
0004708533.tif 000009
【図９】
0004708533.tif 000010
【図１０】
0004708533.tif 000011
【図１１】
0004708533.tif 000012
【図１２】
0004708533.tif 000013
【図１３】
0004708533.tif 000014
【図１４】
0004708533.tif 000015
【図１５】
0004708533.tif 000016
【図１６】
0004708533.tif 000017
【図１７】
0004708533.tif 000018
【図１８】
0004708533.tif 000019
【図１９】
0004708533.tif 000020
【図２０】
0004708533.tif 000021